(57)【要約】【課題】分繊時の毛羽や断糸の発生が抑制された、分繊性に優れた多条全芳香族ポリアミドマルチフィラメント糸を提供すること。【解決手段】全芳香族ポリアミドマルチフィラメントからなる複数の糸条それぞれに、交絡数５〜６０個／ｍの交絡を付与すると共に油剤を０．３〜４．５重量％付着させ、次いでこれらを合糸して多条全芳香族ポリアミドマルチフィラメント糸となす。【選択図】　なし【特許請求の範囲】
【請求項１】
全芳香族ポリアミドマルチフィラメントからなる複数の糸条が合糸された多条全芳香族マルチフィラメント糸であって、該糸条の油剤付着量が０．３〜４．５重量％、交絡数が５〜６０個／ｍであることを特徴とする分繊性に優れた多条全芳香族ポリアミドマルチフィラメント糸。
【請求項２】
それぞれの糸条を構成するフィラメント数が１０〜１０００フィラメントである請求項１記載の多条全芳香族ポリアミドマルチフィラメント糸。
【請求項３】
全芳香族ポリアミドがパラ系の全芳香族ポリアミドである請求項１または２記載の多条全芳香族ポリアミドマルチフィラメント糸。
【発明の詳細な説明】
【０００１】
【発明の属する技術分野】
本発明は、分繊性に優れた多条マルチフィラメント糸に関するものである。さらに詳しくは、分繊時の毛羽や断糸の抑制された多条全芳香族ポリアミドマルチフィラメント糸に関するものである。
【０００２】
【従来の技術】
従来、細繊度の糸条を効率的に生産する方法として、複数本の細繊度糸条を合糸して太繊度の多条マルチフィラメント糸として巻き取り、その後分割して細繊度の糸条を得る、いわゆる「分繊」と呼ばれている方法が提案されている。しかし、それぞれの糸条を単に無撚の状態で合糸して巻き取った場合には、分割時にそれぞれの糸条に分けて取り出そうとしても、各糸条を構成している単糸が糸条間で部分的に交絡するため、容易かつ安定に分割することが困難であるという問題がある。
【０００３】
かかる問題を改善するため、例えば特開昭４８−９６８０４号公報には、それぞれの糸条に、例えばインターレースノズルで、予め交絡を付与して集束性を向上させる方法が提案されている。確かにこの方法によれば、通常の合成繊維では優れた分繊性をしめすものの、高強度、高弾性率、高耐熱性といった特性を有する全芳香族ポリアミドフィラメント、特にパラ系の全芳香族ポリアミドフィラメントは、フィブリル化しやすいため、安定に分割することが困難であるという問題はまだ十分には改善されていない。
【０００４】
【発明が解決しようとする課題】
本発明は、上記従来技術を背景になされたもので、その目的とするところは、分繊時の毛羽や断糸の発生が抑制された分繊性に優れた多条全芳香族ポリアミドマルチフィラメント糸を提供することにある。
【０００５】
【課題を解決するための手段】
本発明者の研究によれば、上記本発明の目的は、「全芳香族ポリアミドマルチフィラメントからなる複数の糸条が合糸された多条全芳香族マルチフィラメント糸であって、該糸条の油剤付着量が０．３〜４．５重量％、交絡数が５〜６０個／ｍであることを特徴とする分繊性に優れた多条全芳香族ポリアミドマルチフィラメント糸。」により達成できることが見出された。
【０００６】
【発明の実施の形態】
以下、本発明の実施の形態について詳細に説明する。
本発明における全芳香族ポリアミドマルチフィラメントは、芳香族ジカルボン酸成分と芳香族ジアミン成分、もしくは芳香族アミノカルボン酸成分から構成される芳香族ポリアミド、または、これらの芳香族共重合ポリアミドからなるマルチフィラメントを対象としており、例えばポリパラフェニレンテレフタルアミド、コポリパラフェニレン・３，４’−オキシジフェニレンテレフタルアミド、ポリメタフェニレンイソフタルアミド等からなるものが例示できる。なかでも強度および弾性率が高いパラ系の全芳香族ポリアミド、例えばポリパラフェニレンテレフタルアミド、コポリパラフェニレン・３，４’−オキシジフェニレンテレフタルアミド等からなるマルチフィラメントの場合、本発明の効果が大きいので好ましい。
【０００７】
上記全芳香族ポリアミドからなる糸条の構成フィラメント数は、１０〜１０００フィラメント、好ましくは２５〜７００フィラメント、特に好ましくは６５〜４００フィラメントの範囲とするのが適当である。１０フィラメント未満の場合には、後述する範囲の交絡数を付与することが難しくなり、多糸条マルチフィラメント糸において各糸条の構成フィラメントが糸条間で交絡しやすくなるため、分繊時に毛羽や断糸が発生しやすくなる。一方、１０００フィラメントを超える場合には、後述する範囲の交絡数を安定に付与することが難しくなる。
【０００８】
合糸される全芳香族ポリアミドマルチフィラメントからなる糸条の本数は、複数であれば特に限定する必要はなく、従来公知の分割を行う分繊機に応じて便宜選択すればよい。例えば、１０本の糸条に分割することが可能な分繊機であれば、糸条は１０本である場合最も分繊効率がよく好ましい。
【０００９】
本発明においては、上記各糸条に油剤が０．３〜４．５重量％（全芳香族ポリアミドマルチフィラメント重量基準）、好ましくは１．０〜４．０重量％、特に好ましくは１．５〜３．０重量％付着している必要がある。該油剤付着量が０．３重量％未満の場合には、分繊時に静電気が発生しやすくなるためと推定され、糸条間に部分的な単糸の絡みが発生して断糸や毛羽の発生が増大するだけでなく、フィラメントがガイド等との摩擦により容易にフィブリル化するので好ましくない。一方、油剤付着量が４．５重量％を超える場合には、分繊時にガイド等でスカムが発生しやすくなるので好ましくない。
【００１０】
なお、付着させる油剤の種類は特に限定する必要はなく、従来公知の任意の油剤を使用することができ、分繊を行う分繊機により要求される特性に応じて便宜選択すればよい。例えば、平滑剤の割合が６０重量％以上である油剤、または、油剤粘度が２００センチストークス程度である油剤を用いることにより、分繊時のガイド等との摩擦抵抗を低減することができるので、糸条の走行安定性が高まり分繊速度を一層高めることができる。
【００１１】
本発明においては、上記の範囲で油剤が付着したそれぞれの糸条（全芳香族マルチフィラメント）に、交絡数が５〜６０個／ｍ、好ましくは１０〜３５個／ｍの交絡が付与されていることが、多糸条マルチフィラメントを各糸条に分繊する際、各糸条を構成している単糸の糸条間交絡を抑制し、容易かつ安定に分繊できるようにするために必要である。該交絡数が５個／ｍ未満の場合には、分繊時に各糸条を構成している単糸が糸条間で交絡を生じやすくなり、糸条の断糸や毛羽の発生が増加するので好ましくない。一方、交絡数が６０個／ｍを超える場合には、合糸された後に巻取られた多条マルチフィラメント糸の表面に毛羽やループが発生しやすくなり、特にパラ系全芳香族ポリアミドマルチフィラメントの場合では強度も低下するので好ましくない。
【００１２】
本発明においては、交絡を付与する手段は特に限定されないが、従来公知のインターレースノズルから、分繊時に用いられる分繊機により要求される特性に応じて便宜選択ればよい。
【００１３】
以上に詳述した本発明の分繊性に優れた多条全芳香族ポリアミドマルチフィラメント糸は、例えば図１に示す装置を用いて、延伸後の各糸条にインターレースを通して交絡処理した後に油剤を付与し、次いで、複数本の糸条を合糸してワインダーでに巻取る方法により好適に製造することができる。すなわち、紡糸口金１から紡出されたマルチフィラメントを分割ガイド３で複数の糸条（マルチフィラメント）に分割し、各々の糸条を水洗４、乾燥６、延伸８を行った後にインターレースノズル９で交絡処理を施し、オイリングローラー１０で油剤を付与した後に各糸条を合糸ガイド１２で合糸してワインダー１３にて巻取ることにより容易に得ることができる。
【００１４】
【実施例】
以下、実施例により、本発明をさらに具体的に説明するが、本発明はこれに限定されるものではない。なお、本実施例中で用いられる部は、重量部を示す。また、各評価項目の測定は下記の方法で測定した。
【００１５】
＜油剤付着量＞
１０５℃で１時間乾燥させた試料約３ｇを精秤（ＷＡ）し、次いでソックスレー抽出器によりアセトン／メタノール（１：１）の混合液を用いて８５℃、６０分間油分を抽出させた。その後、試料を再度１０５℃で３０分間乾燥させてから試料を秤量（ＷＢ）し、下記式により油剤付着量を求めた。
油剤付着量（％）＝（ＷＡ−ＷＢ）／ＷＢ×１００
【００１６】
＜交絡数＞
ＲＯＴＨＳＣＨＩＬＤ社製Ｅｌｅｃｔｒｏｎｉｃ　Ｔｅｎｓｉｏｍｅｔｅｒを用いて自動的に１ｍ当りの交絡点数を各水準でサンプル数ｎ＝１０として測定し、平均値を交絡数とした。
【００１７】
＜分繊時の断糸回数＞
６本を合糸して巻き取られた１本のボビンについて、分繊開始から終了までに要する約８時間を測定時間とし、断糸した回数を測定した。なお、断糸が発生した場合には、直ちに分繊設備を一旦停止させた後に断糸した糸をつなぎ合わせて再度分繊を開始した。
【００１８】
＜強度、伸度、初期モジュラス＞
ＪＩＳ　Ｌ　１０１７に準拠して測定した。
【００１９】
＜毛羽／ループ＞
分繊後に巻き取られた１ｋｇ巻きのボビンの表面および両側面に存在する毛羽、ループを黙視評価し、その数を合計して３段階評価した。
無：０個／ボビン、少ない：１〜３個／ボビン、多い：４個／ボビン以上
【００２０】
［実施例１］
水分率が１００ｐｐｍ以下のＮ−メチル２−ピロリドン（以下ＮＭＰという）１１２．９部、パラフェニレンジアミン１．５０６部、３、４’−ジアミノジフェニルエーテル２．７８９部を常温下で入れ、窒素中で溶解した後、攪拌しながらテレフタル酸クロリド５．６５８部を添加した。最終的に８５℃で６０分間反応せしめ、透明の粘稠なポリマー溶液を得た。次いで２２．５重量％の水酸化カルシウムを含有するＮＭＰスラリー９．１７４部を添加し、中和反応を行った。得られたポリマーの対数粘度は３．３２であった。
【００２１】
得られたポリマー溶液を用い、孔径０．３ｍｍ、孔数１３３ホールを有する６個の口金からＮＭＰ３０重量％の凝固浴に押し出し湿式紡糸した。口金面と凝固浴との距離は１０ｍｍとした。口金から紡出された各々の繊維を合糸することなく水洗、乾燥後、５２０℃で１０倍に延伸した後、インターレースノズルを用いて０．３ＭＰａの圧空により表１記載の交絡数となるように交絡処理を施し、次いで表１記載の付着量で油剤を付与した後に再度乾燥して６本の糸条を合糸ガイドで１本に合糸してワインダーに巻き取った。得られた多条マルチフィラメント糸は、総繊度１３２４ｄｔｅｘ、フィラメント数７９８本であった。
【００２２】
得られた多条マルチフィラメント糸は、分繊機にて断糸やフィブリル化の発生がなく、１００ｍ／分の巻取速度で６本の糸条に容易にかつ安定して分繊することが可能であった。分繊時の断糸回数、分繊後の糸条総繊度、フィラメント数、切断強度、伸度、初期モジュラス、油剤付着量および毛羽の有無の評価結果を表１に示す。
【００２３】
［実施例２〜３および比較例１〜２］
実施例１において、交絡付与条件および油剤付着量を表１記載のとおり変更する以外は実施例１と同様にして多条全芳香族マルチフィラメント糸を得た。得られた多条マルチフィラメント糸の評価結果を表１に併せて示す。
【００２４】
［参考例］
実施例１において、インターレースによる交絡の付与および合糸ガイドによる合糸を行わずにそれぞれの糸条を別々に巻取る以外は実施例１と同様にしてマルチフィラメント糸を得た。得られたマルチフィラメント糸を実施例１と同様に評価した結果を表１に示す。
【００２５】
【表１】
2004011043.tif 000002
【００２６】
【発明の効果】
本発明の多条全芳香族ポリアミドマルチフィラメント糸によれば、合糸巻取りされる前の各糸条（マルチフィラメント）に油剤および交絡が付与されているので、分繊時の毛羽や断糸の発生を抑制することができ、高品位の分繊糸を極めて安定して得ることができる。
【図面の簡単な説明】
【図１】本発明の多条マルチフィラメント糸を製造するための一実施形態を示す工程図である。
【符号の説明】
１　　紡糸口金
２　　凝固浴
３　　分割ガイド
４　　水洗ローラー
５　　水洗浴
６　　乾燥ローラー
７　　熱板プレート
８　　延伸ローラー
９　　インターレースノズル
１０　　油剤付与ローラー
１１　　乾燥ローラー
１２　　合糸ガイド
１３　　本発明の多条マルチフィラメント糸のチーズ
【図１】
2004011043.tif 000003